(57)【要約】【課題】  手腕に装着することが容易であり、手甲から腕部までの日焼けを確実に防止できるとともに、腕時計などを装着しても外部から視認可能な日焼け止め被覆部材を提供する。【解決手段】  本体３は布製であり、先端の裏面側に環状部５が設けられる。本体３の先端側は手甲被覆部１３であり、後端側が腕被覆部１５となる。幅狭部である手甲被覆部１３と幅広部である腕被覆部１５の境界近傍には、縮幅部１２が形成される。縮幅部１２は、本体３の幅方向に山谷を繰り返すように折り返して形成される。本体３の腕被覆部１５の両側部には面状ファスナ１１ａ、１１ｂがそれぞれ表裏に設けられる。たとえば、腕被覆部１５の表面７の側部に面状ファスナ１１ａが設けられ、他方の側の裏面９に面状ファスナ１１ｂが設けられる。面状ファスナ１１ａと面状ファスナ１１ｂとは互いに結合可能である。【選択図】図１
0003155021.tif 000002
【実用新案登録請求の範囲】
【請求項１】
手の甲の一部と腕の一部とを被覆可能な日焼け止め被覆部材であって、
一方の端部近傍に形成され幅が狭い幅狭部と、前記幅狭部とは逆側に形成され幅が広がった幅広部とを有する本体部と、
前記幅狭部先端近傍に設けられた環状部と、
前記本体部の幅広部の側部に設けられた結合部と、
を具備し、
前記環状部材を指に嵌め、前記本体部を筒状にして前記本体部を腕に巻きつけ、前記結合部で前記本体部の両側部を結合し、手の甲の一部と腕の一部とを被覆可能であることを特徴とする日焼け止め被覆部材。
【請求項２】
前記幅狭部は、前記環状部が設けられた側の端部近傍から、前記被覆部材を手に装着した際に手首近傍に該当する部位までの範囲を被覆する手甲被覆部であり、
前記結合部は、前記被覆部材を手に装着した際に手首よりも腕側に該当する部位に設けられ、前記幅広部は手首から腕側を被覆する腕被覆部であり、
前記腕被覆部は前記幅狭部との境界側からテーパ状に幅が広がる部位を有し、
前記手甲被覆部は前記本体部を山谷に折り返して幅方向に縮幅される縮幅部を有し、
前記被覆部材を手に装着した際、前記手甲被覆部は手の甲側のみを被覆して手のひら側を被覆せず、前記腕被覆部は手首よりも腕側で筒状に形成されることを特徴とする請求項１記載の日焼け止め被覆部材。
【請求項３】
前記本体部は布製であり、前記本体部には酸化チタンが含まれ、前記本体部が紫外線を吸収することを特徴とする請求項１または請求項２に記載の日焼け止め被覆部材。
【考案の詳細な説明】
【技術分野】
【０００１】
本考案は、手に装着して日焼け止めを防止する日焼け止め被覆部材に関するものである。
【背景技術】
【０００２】
従来、春先から秋にかけての特に紫外線の強い季節には、日焼けを防止するための様々な道具が用いられている。特に、手から腕にかけての日焼けを防止する方法としては、日焼け止め用の手袋が用いられてきた。
【０００３】
このような日焼け止め用の手袋は各種開発がなされており、例えば、手と腕とを覆う手袋および腕袋の外側を、日光を遮断可能に形成するとともに、腕袋の内側には開口窓を形成する日避け用手袋がある（特許文献１）。
【０００４】
また、肌色に染色した生地を用い、親指出し口とその他の指出し口を設けて腕部に密着する日焼け止め防止用腕カバーがある（特許文献２）。
【０００５】
また、生地を縫い合わせた手袋に、カバー後部の周縁部にゴムを固定し、カバーの後端縁に沿って手袋生地よりも光透過率が高く、しかも後端縁を凹凸状とする帯状の透光性布地を固定した日焼け止め手袋がある（非特許文献１）。
【先行技術文献】
【特許文献】
【０００６】
【特許文献１】特開平０９−２２８１１５号公報
【特許文献２】特開２０００−３５５８１１号公報
【非特許文献】
【０００７】
【非特許文献１】実開平０６−４０１２号公報
【考案の開示】
【考案が解決しようとする課題】
【０００８】
しかし、特許文献１、特許文献２、非特許文献１のいずれのものも、腕にはめる手袋状の形態であり、手に装着するのに手間がかかるという問題がある。たとえば、手袋が腕にフィットするような形状の場合、手袋を腕部まで嵌めることが難しいという問題がある。また、手の平までが覆われることで、手袋をはめたまま何かを手にとることが難しく、手を洗うなどをすることができないという問題がある。したがって、室内では外す必要があった。
【０００９】
また、指輪や腕時計などを使用する場合には、手袋をはめてしまうとそれらが外部から視認することができなくなるという問題がある。このため、従来の日焼け止め用の手袋は、見た目やファッション性に乏しく、手袋を外さなければ、腕時計等を見たり、見せたりすることができないという問題がある。
【００１０】
本考案は、このような問題に鑑みてなされたもので、手腕に装着することが容易であり、手甲から腕部までの日焼けを確実に防止できるとともに、腕時計などを装着しても外部から視認可能な日焼け止め被覆部材を提供することを目的とする。
【課題を解決するための手段】
【００１１】
前述した目的を達成するため、第１の考案は、手の甲の一部と腕の一部とを被覆可能な日焼け止め被覆部材であって、一方の端部近傍に形成され幅が狭い幅狭部と、前記幅狭部とは逆側に形成され幅が広がった幅広部とを有する本体部と、前記幅狭部先端近傍に設けられた環状部と、前記本体部の幅広部の側部に設けられた結合部と、を具備し、前記環状部材を指に嵌め、前記本体部を筒状にして前記本体部を腕に巻きつけ、前記結合部で前記本体部の両側部を結合し、手の甲の一部と腕の一部とを被覆可能であることを特徴とする日焼け止め被覆部材である。
【００１２】
前記幅狭部は、前記環状部が設けられた側の端部近傍から、前記被覆部材を手に装着した際に手首近傍に該当する部位までの範囲を被覆する手甲被覆部であり、前記結合部は、前記被覆部材を手に装着した際に手首よりも腕側に該当する部位に設けられ、前記幅広部は手首から腕側を被覆する腕被覆部であり、前記腕被覆部は前記幅狭部との境界側からテーパ状に幅が広がる部位を有し、前記手甲被覆部は前記本体部を山谷に折り返して幅方向に縮幅される縮幅部を有し、前記被覆部材を手に装着した際、前記手甲被覆部は手の甲側のみを被覆して手のひら側を被覆せず、前記腕被覆部は手首よりも腕側で筒状に形成されてもよい。
【００１３】
前記本体部は布製であり、前記本体部には酸化チタンが含まれ、前記本体部が紫外線を吸収するようにしてもよい。
【００１４】
本考案によれば、日焼け止め被覆部材を腕に装着する際に、部材が袋状（筒状）ではないため、簡単に装着することができる。特に、腕に被せて止めるだけであるので、お年寄りなども簡単に腕に装着することができる。
【００１５】
また、手甲を覆う部分は幅が狭く、手のひら側が被覆されないため、被覆部材を装着したままでも手のひらで直接物を持つこともでき、また、手を洗うこともできる。また、手のひら側の手首が露出するため、腕時計を内巻きにすれば、被覆部材を装着したままでも腕時計を見ることもできる。
【００１６】
さらに、指部には手甲被覆部を固定する環状部を嵌めるのみであるため、その他の指には指輪などを装着することができ、さらに、それらのアクセサリーが、被覆部材を装着したまま視認することができ、ファッション性が高い。
【００１７】
また、生地に酸化チタンなどの紫外線吸収効果を有する物質をコーティングまたは織り込んでおくことで、より一層の日焼け止め効果を得ることができる。
【考案の効果】
【００１８】
本考案によれば、手腕に装着することが容易であり、手甲から腕部までの日焼けを確実に防止できるとともに、腕時計などを装着しても外部から視認可能な日焼け止め被覆部材を提供することができる。
【図面の簡単な説明】
【００１９】
【図１】被覆部材１の構成を示す概略図で、（ａ）は表面側を示す図、（ｂ）は（ａ）の裏面側を示す図。
【図２】図１（ｂ）のＡ部を示す図で、環状部５近傍を示す斜視図。
【図３】被覆部材１を手に装着する手順を示す図で、（ａ）は手甲側から見た図、（ｂ）は手のひら側より見た図。
【図４】被覆部材１を手に装着した状態を示す図で、（ａ）は手甲側から見た図、（ｂ）は手のひら側より見た図。
【図５】その他の実施形態である被覆部材２０を示す図。
【考案を実施するための形態】
【００２０】
以下、本考案の実施の形態を詳細に説明する。図１は、本考案の実施の形態にかかる被覆部材１を示す図であり、図１（ａ）は表面７側より見た図、図１（ｂ）は裏面９側より見た図である。
【００２１】
被覆部材１は主に、本体３および環状部５より構成される。本体３は布製であり、先端の裏面９側に環状部５が設けられる。本体３の先端側は手甲被覆部１３であり、後端側が腕被覆部１５となる。手甲被覆部１３は使用時に主に手の甲を被覆する部位であり、先端から概ね５〜１２ｃｍ程度の範囲であり、手甲被覆部１３の最大幅である手甲被覆部幅１７は５〜１２ｃｍ程度である。特に望ましくは、手甲被覆部１３は通常の成人の手の甲を概ね被覆可能な大きさであれば良く、７ｘ７ｃｍ〜１０ｘ１０ｃｍ程度の範囲を覆うことができ、適宜手甲の形に応じた形状とすれば良い。
【００２２】
腕被覆部１５は、手甲被覆部１３よりも幅が広く、例えば最大幅は１５〜２０ｃｍ程度である。なお、腕被覆部１５の長さは、被覆する腕の範囲に応じて適宜設定され、例えば、１０〜３０ｃｍ程度に設定される。すなわち、本体３は先端側から後端側に向かって幅が広くなるような形状を有する。
【００２３】
幅狭部である手甲被覆部１３と幅広部である腕被覆部１５の境界近傍（手甲被覆部１３側）には、縮幅部１２が形成される。縮幅部１２は、本体３の幅方向に山谷を繰り返すように折り返して形成される。すなわち、縮幅部１２で本体３は縮幅される。なお、縮幅部１２は使用時に、手の甲から手首にかける部位に位置する。縮幅部１２によって、手甲被覆部１３と腕被覆部１５との間には幅方向になだらかな段形状が形成される。腕被覆部１５の縮幅部１２近傍は、縮幅部１２側から後方に向かってテーパ状に緩やかに幅が広がるように形成される。
【００２４】
本体３の腕被覆部１５の両側部には面状ファスナ１１ａ、１１ｂがそれぞれ表裏に設けられる。たとえば、腕被覆部１５の表面７の側部に面状ファスナ１１ａが設けられ、他方の側の裏面９に面状ファスナ１１ｂが設けられる。面状ファスナ１１ａと面状ファスナ１１ｂとは互いに結合可能である。
【００２５】
図２は、図１（ｂ）のＡ部を示す斜視図である。本体３の裏面９側先端部近傍には、環状部５が設けられる。環状部５は、たとえば、布、ゴム、金属などのリング状の部材が本体３の裏面に接合されたものである。リング状の部材と本体３との接合は、糸による縫い付けなどにより行わる。なお、環状部５は、本体３の表面７側には露出しないことが望ましい。被覆部材１を装着した状態で、環状部５を外面に露出させないことで、環状部５が外部に対して隠すことができる。
【００２６】
次に、被覆部材１の装着方法を説明する。図３、図４は被覆部材１を装着する手順を示す図で、図３（ａ）、図４（ａ）は手甲側より見た図、図３（ｂ）、図４（ｂ）は手のひら側より見た図を示す。なお、図では左手に装着する例を示すが、右手側への装着も同様の手順で行われる。
【００２７】
まず、被覆部材１を手甲側より表面７が見えるように配置し、例えば中指を環状部５に挿入する。環状部５に中指の根本近傍までを挿入すると、手甲被覆部１３が手の甲側を被覆する。また、縮幅部１２が手首近傍に位置する。
【００２８】
図３（ｂ）に示すように、手甲被覆部幅１７は、略手甲の幅に該当する。したがって、図３（ｂ）に示す状態で、手のひら側より見ると、手甲被覆部１３は手のひらに隠れてほとんど見えない。なお、腕被覆部１５は、手首よりも腕側に位置する。
【００２９】
次に、図４に示すように、面状ファスナ１１ａ、１１ｂを腕部の内側（手のひら側）で結合する。すなわち、腕部を覆うように本体３を筒状に形成する。この際、被覆部材１の表面７が腕部および手甲側に露出する。
【００３０】
前述の通り、手甲被覆部幅１７は手甲の幅と略等しい。このため、腕被覆部１５を筒状に形成した状態でも、手甲被覆部１３は手のひら側へは回り込まない。したがって、図４（ｂ）に示すように、被覆部材１は手のひらおよび手のひら側の手首近傍を被覆することがない。
【００３１】
なお、図３〜図４に示した例では、腕被覆部１５は腕の一部のみを被覆したが、腕被覆部１５の長さを長くすれば、肘までを覆うこともでき、さらに上腕までを覆うこともできる。いずれにしても、手甲被覆部幅１７を手甲のみが被覆されるような幅として、腕被覆部１５の上部（縮幅部１２近傍）がテーパ状に幅が広くなるように形成すれば、手のひらおよび手のひら側の手首近傍を露出させることができる。
【００３２】
以上説明したように、本実施の形態にかかる被覆部材１によれば、本体３が袋状または筒状ではないため、装着時に腕に被せて面状ファスナ１１ａ、１１ｂで本体を腕に被せるのみで良く、装着がきわめて容易である。このため、お年寄りや、指に多少の怪我や障害を有する者でも、簡単に装着（脱着）することができる。また、結合部の結合代を自由に調整すれば、腕の太さ等によらず同一の被覆部材を用いることができる。
【００３３】
また、手甲被覆部１３は環状部５によって指に固定されるため、手のひら側を覆う必要がなく、手甲を確実に被覆することができる。また、環状部５が本体の裏面９側に設けられるため、外部に環状部５が露出せず、見た目にも優れる。
【００３４】
また、縮幅部１２によって、手甲被覆部１３と腕被覆部１５との間が縮幅されるため、装着時に手首形状に沿って被覆し、また、手甲被覆部１３が浮き上がったり膨れ上がったりなどせず、手甲に対してフィットする。
【００３５】
また、腕被覆部１５の上方がテーパ状に幅が広くなるため、装着時に手のひら側の手首近傍が露出する。このため、腕時計を内巻きにしておけば、被覆部材をしたままでも腕時計を視認することができる。また、環状部５を挿入する指以外の指は露出するため、指輪などをしていても被覆部材１で隠れることがなく、装飾品による装飾性やファッション性を損なうことがない。
【００３６】
また、手のひらは被覆されないため、物を持つ行為や触る行為において、被覆部材１を外さなくても、直接対象物に触れることができ、また、被覆部材１を装着したまま手を洗うこともできる。このため装着したまま携帯電話の操作や食事等を行うこともできる。また、巻きつけるタイプであるので薄い袖ならばその上に装着することもできる。
【００３７】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【００３８】
例えば、図５に示すように、本体３の形状を適宜変更することができる。図５に示す被覆部材２０は、被覆部材１とほぼ同様の構成であるが、環状部５が設けられる先端側が被覆部材１のようにとがっておらず、平な（または丸みを帯びた）形状となる。すなわち、被覆部材１は略三角形状の本体３であったが、被覆部材２０は、略台形状の本体３となる。被覆部材２０によっても、被覆部材１と同様の効果を得ることができる。
【００３９】
また、より高い日焼け止め効果を得るために、本体３に紫外線吸収効果を有する物質を設けてもよい。たとえば、酸化チタンを予め本体３の表面にコーティングするか、または、本体３の繊維に酸化チタン粒子を織り込んでおいてもよい。また、より装飾性を高めるために、本体３の表面７に各種模様を施してもよく、または通気性を確保するためレース地の生地を使用するなど、用途に合わせて適宜設定することができる。
【００４０】
また、腕被覆部１５を筒状に形成するための結合部としては、面状ファスナ１１ａ、１１ｂのみに限られず、ボタンやフック、ファスナその他、本体３の両端を結合して筒状に形成することができるものであれば、各種の結合手段を適用することができる。
【符号の説明】
【００４１】
１、２０………被覆部材
３………本体
５………環状部
７………表面
９………裏面
１１ａ、１１ｂ………面状ファスナ
１３………手甲被覆部
１５………腕被覆部
【図１】
0003155021.tif 000003
【図２】
0003155021.tif 000004
【図３】
0003155021.tif 000005
【図４】
0003155021.tif 000006
【図５】
0003155021.tif 000007
【手続補正書】
【提出日】平成21年8月25日(2009.8.25)
【手続補正１】
【補正対象書類名】実用新案登録請求の範囲
【補正対象項目名】全文
【補正方法】変更
【補正の内容】
【実用新案登録請求の範囲】
【請求項１】
手の甲の一部と腕の一部とを被覆可能な日焼け止め被覆部材であって、
一方の端部近傍に形成され幅が狭い幅狭部と、前記幅狭部とは逆側に形成され幅が広がった幅広部とを有する本体部と、
前記幅狭部の先端近傍に設けられた環状部と、
前記本体部の幅広部の側部に設けられた結合部と、
を具備し、
前記環状部を指に嵌め、前記本体部を筒状にして前記本体部を腕に巻きつけ、前記結合部で前記本体部の両側部を結合し、手の甲の一部と腕の一部とを被覆可能であることを特徴とする日焼け止め被覆部材。
【請求項２】
前記幅狭部は、前記環状部が設けられた側の端部近傍から、前記被覆部材を手に装着した際に手首近傍に該当する部位までの範囲を被覆する手甲被覆部であり、
前記結合部は、前記被覆部材を手に装着した際に手首よりも腕側に該当する部位に設けられ、前記幅広部は手首から腕側を被覆する腕被覆部であり、
前記腕被覆部は前記幅狭部との境界側からテーパ状に幅が広がる部位を有し、
前記手甲被覆部は前記本体部を山谷に折り返して幅方向に縮幅される縮幅部を有し、
前記被覆部材を手に装着した際、前記手甲被覆部は手の甲側のみを被覆して手のひら側を被覆せず、前記腕被覆部は手首よりも腕側で筒状に形成されることを特徴とする請求項１記載の日焼け止め被覆部材。
【請求項３】
前記本体部は布製であり、前記本体部には酸化チタンが含まれ、前記本体部が紫外線を吸収することを特徴とする請求項１または請求項２に記載の日焼け止め被覆部材。
【手続補正２】
【補正対象書類名】明細書
【補正対象項目名】００１１
【補正方法】変更
【補正の内容】
【００１１】
前述した目的を達成するため、第１の考案は、手の甲の一部と腕の一部とを被覆可能な日焼け止め被覆部材であって、一方の端部近傍に形成され幅が狭い幅狭部と、前記幅狭部とは逆側に形成され幅が広がった幅広部とを有する本体部と、前記幅狭部の先端近傍に設けられた環状部と、前記本体部の幅広部の側部に設けられた結合部と、を具備し、前記環状部を指に嵌め、前記本体部を筒状にして前記本体部を腕に巻きつけ、前記結合部で前記本体部の両側部を結合し、手の甲の一部と腕の一部とを被覆可能であることを特徴とする日焼け止め被覆部材である。